(57)【要約】【課題】端子へのケーブル等の接続を簡易に行うことができるインターホン機器を提供する。【解決手段】本体ケースの前面で、且つ、化粧パネル２に覆われる位置に、端子３０、３０を収納するための端子用凹部１１、１１と、ケーブルを挿通可能な第１ケーブル挿通孔１３とが設けられている一方、本体ケースの背面に、ケーブルを挿通可能な第２ケーブル挿通孔１４が設けられている。そして、第２ケーブル挿通孔１４側から第１ケーブル挿通孔１３を介してケーブルを本体ケースの前面側に引き出した状態で、本体ケースは基台に取り付けられるようになっている。したがって、作業者は、本体ケースを基台に取り付けた状態で、ケーブルと端子３０、３０との接続作業を行うことができ、端子３０、３０へのケーブル等の接続を簡易に行うことができる。【選択図】図３
2018170598.tif 000002
【特許請求の範囲】
【請求項１】
本体ケースの前面に化粧パネルが取り付けられ、前記本体ケースの背面側を所定の設置面へ向けた姿勢で設置面側に取付可能であるとともに、
前記本体ケースに、他のインターホン機器と電気的に接続するためのケーブルが接続される端子が設けられたインターホン機器であって、
前記本体ケースの前面で、且つ、前記化粧パネルに覆われる位置に、前記端子を収納するための端子用凹部と、前記ケーブルを挿通可能な第１ケーブル挿通孔とが設けられている一方、
前記本体ケースの背面に、前記ケーブルを挿通可能な第２ケーブル挿通孔が設けられており、
前記第２ケーブル挿通孔側から前記第１ケーブル挿通孔を介して前記ケーブルを前記本体ケースの前面側に引き出した状態で、前記本体ケースが前記設置面側に取り付けられることを特徴とするインターホン機器。
【請求項２】
前記端子用凹部に隣接した位置で、且つ、前記化粧パネルに覆われる位置に、前記ケーブルの余長を収納するためのケーブル収納凹部が設けられているとともに、
前記第１ケーブル挿通孔が、前記ケーブル収納凹部内に設けられていることを特徴とする請求項１に記載のインターホン機器。
【請求項３】
前記本体ケースの内部に、前記第１ケーブル挿通孔と前記第２ケーブル挿通孔とを連通させる筒状の挿通筒部が設けられており、
当該挿通筒部により、前記ケーブルの配線に係る空間と前記本体ケースの内部空間とが仕切られていることを特徴とする請求項１又は２に記載のインターホン機器。
【発明の詳細な説明】
【技術分野】
【０００１】
本発明は、たとえば玄関の壁面に設置され、来訪者により呼出操作されるインターホン子機等といったインターホン機器に関するものである。
【背景技術】
【０００２】
従来、たとえば玄関に設置されるインターホン子機は、居室内に設置されるインターホン親機と接続されることになる。そして、その接続のための端子は、インターホン子機の本体ケースの背面に設けられていた（たとえば特許文献１）。
【先行技術文献】
【特許文献】
【０００３】
【特許文献１】特開２００７−１２４０３０号公報
【発明の概要】
【発明が解決しようとする課題】
【０００４】
上記従来のインターホン子機を玄関の壁面に設置しようとすると、作業者は、一方の手でインターホン子機を保持し、もう一方の手で端子とケーブル等とを接続した後、当該インターホン子機を壁面に取り付けることになる。したがって、特に端子へのケーブル等の接続作業に際して、作業性が悪いという問題があった。
【０００５】
そこで、本発明は、上記問題に鑑みなされたものであって、端子へのケーブル等の接続を簡易に行うことができるインターホン機器を提供しようとするものである。
【課題を解決するための手段】
【０００６】
上記目的を達成するために、本発明のうち請求項１に記載の発明は、本体ケースの前面に化粧パネルが取り付けられ、本体ケースの背面側を所定の設置面へ向けた姿勢で設置面側に取付可能であるとともに、本体ケースに、他のインターホン機器と電気的に接続するためのケーブルが接続される端子が設けられたインターホン機器であって、本体ケースの前面で、且つ、化粧パネルに覆われる位置に、端子を収納するための端子用凹部と、ケーブルを挿通可能な第１ケーブル挿通孔とが設けられている一方、本体ケースの背面に、ケーブルを挿通可能な第２ケーブル挿通孔が設けられており、第２ケーブル挿通孔側から第１ケーブル挿通孔を介してケーブルを本体ケースの前面側に引き出した状態で、本体ケースが設置面側に取り付けられることを特徴とする。
請求項１に記載の発明によれば、本体ケースの前面で、且つ、化粧パネルに覆われる位置に、端子を収納するための端子用凹部と、ケーブルを挿通可能な第１ケーブル挿通孔とが設けられている一方、本体ケースの背面に、ケーブルを挿通可能な第２ケーブル挿通孔が設けられている。そして、第２ケーブル挿通孔側から第１ケーブル挿通孔を介してケーブルを本体ケースの前面側に引き出した状態で、本体ケースは設置面側に取り付けられるようになっている。したがって、作業者は、たとえば設置面側となる基台等に本体ケースを取り付けた状態で、ケーブルと端子との接続作業を行うことができ、端子へのケーブル等の接続を簡易に行うことができる。
【０００７】
請求項２に記載の発明は、請求項１に記載の発明において、端子用凹部に隣接した位置で、且つ、化粧パネルに覆われる位置に、ケーブルの余長を収納するためのケーブル収納凹部が設けられているとともに、第１ケーブル挿通孔が、ケーブル収納凹部内に設けられていることを特徴とする。
請求項２に記載の発明によれば、端子用凹部に隣接した位置で、且つ、化粧パネルに覆われる位置に、ケーブルの余長を収納するためのケーブル収納凹部が設けられているとともに、第１ケーブル挿通孔が、ケーブル収納凹部内に設けられているため、ケーブルの配線等を容易に行うことができる。
【０００８】
請求項３に記載の発明は、請求項１又は２に記載の発明において、本体ケースの内部に、第１ケーブル挿通孔と第２ケーブル挿通孔とを連通させる筒状の挿通筒部が設けられており、当該挿通筒部により、ケーブルの配線に係る空間と本体ケースの内部空間とが仕切られていることを特徴とする。
請求項３に記載の発明によれば、本体ケースの内部に、第１ケーブル挿通孔と第２ケーブル挿通孔とを連通させる筒状の挿通筒部が設けられており、当該挿通筒部により、ケーブルの配線に係る空間と本体ケースの内部空間とが仕切られているため、第１ケーブル挿通孔や第２ケーブル挿通孔が設けられているにも拘わらず、高い防水性を発揮することができる。
【発明の効果】
【０００９】
本発明によれば、本体ケースの前面で、且つ、化粧パネルに覆われる位置に、端子を収納するための端子用凹部と、ケーブルを挿通可能な第１ケーブル挿通孔とが設けられている一方、本体ケースの背面に、ケーブルを挿通可能な第２ケーブル挿通孔が設けられている。そして、第２ケーブル挿通孔側から第１ケーブル挿通孔を介してケーブルを本体ケースの前面側に引き出した状態で、本体ケースは設置面側に取り付けられるようになっている。したがって、作業者は、たとえば設置面側となる基台等に本体ケースを取り付けた状態で、ケーブルと端子との接続作業を行うことができ、端子へのケーブル等の接続を簡易に行うことができる。
【図面の簡単な説明】
【００１０】
【図１】インターホン子機を示した説明図であって、（ａ）は正面図、（ｂ）は側面図である。
【図２】インターホン子機を後側から示した斜視説明図である。
【図３】化粧パネルが取り外されたインターホン子機を前側から示した斜視説明図である。
【図４】後ケースが取り外されたインターホン子機を後側から示した斜視説明図である。
【発明を実施するための形態】
【００１１】
以下、本発明の一実施形態となるインターホン子機について、図面にもとづき詳細に説明する。
【００１２】
図１は、インターホン子機１を示した説明図であって、（ａ）は正面図、（ｂ）は側面図である。図２は、インターホン子機１を後側から示した斜視説明図である。図３は、化粧パネル２が取り外されたインターホン子機１を前側から示した斜視説明図である。図４は、後ケース４が取り外されたインターホン子機１を後側から示した斜視説明図である。
【００１３】
インターホン子機１は、前側に配置される前ケース３と、後側に配置される後ケース４とで構成される本体ケースを備えており、この本体ケースの前面中央には、呼び出し操作した来訪者を撮像するためのカメラ部５が設けられている。また、カメラ部５の右側には、来訪者が居住者と通話するためのマイク部６が設けられいる。さらに、カメラ部５の左上側には、来訪者が居住者と通話するためのスピーカ部７が設けられている。さらにまた、カメラ部５の下側には、来訪者が居住者を呼び出す際に押し込み操作する呼出ボタン８が設けられている。加えて、本体ケースの前面には、化粧パネル２が取り付けられている。化粧パネル２は、中央に矩形の開口９が開設されたフレーム状に形成されており、開口９内にカメラ部５や呼出ボタン８等を露出させるようになっている。そして、このようなインターホン子機１は、住戸の玄関の壁面等に設置されており、来訪者による呼出ボタン８の操作に応じて、住戸内に設置されているインターホン親機（図示せず）を呼び出すとともに、カメラを作動させて来訪者を撮像する。
【００１４】
ここで、本発明の要部となるインターホン子機１の端子の位置等に係る構成について詳細に説明する。
前ケース３における呼出ボタン８の下方であって、化粧パネル２を取り付けた際、化粧パネル２によって覆われる位置には、左右方向に長い凹部が設けられている。この凹部内の左部は、端子用凹部１１、１１とされており、各端子用凹部１１内には、インターホン子機１とインターホン親機側とを電気的に接続するための端子３０が夫々収納されている。また、凹部内における端子用凹部１１、１１の右側の空間は、端子３０、３０に接続するケーブルの余長を収納するためのケーブル収納凹部１２となっている。
【００１５】
さらに、ケーブル収納凹部１２の背面には、インターホン子機１の背面側からケーブルを挿通させるための第１ケーブル挿通孔１３が開設されている。一方、後ケース４における第１ケーブル挿通孔１３に対向する位置には、第２ケーブル挿通孔１４が開設されている。そして、第１ケーブル挿通孔１３と第２ケーブル挿通孔１４とを連通させる挿通筒部１５が、前ケース３の後面から後方へ一体的に突設されており、挿通筒部１５内の空間やケーブル収納凹部１２内の空間等といったケーブルの配線に係る空間と、本体ケースの内部空間（たとえば基板１６やスピーカ、マイク等の設置空間１７）とは、挿通筒部１５にて仕切られるようになっている。
【００１６】
そして、上述したような端子部を有するインターホン子機１の壁面への設置作業について説明すると、まず壁面に基台（インターホン子機１とは別部材であり、図示せず）を取り付けた後、第２ケーブル挿通孔１４側から挿通筒部１５内へ挿通させたケーブル（図示せず）を第１ケーブル挿通孔１３から前方へ引き出してから、本体ケースの背面側を壁面へ向けた姿勢で、インターホン子機１を基台に取り付ける。その後、基台に取り付けられた状態にあるインターホン子機１に対して、端子３０、３０にケーブルの先端を接続する接続作業を行うとともに、ケーブルの余長をケーブル収納凹部１２に収納すれば、インターホン子機１の設置作業は完了となる。なお、基台は従来周知のものであり、基台へのインターホン子機１の取り付けに関しても従来と何ら変わることはない。
【００１７】
以上のような構成を有するインターホン子機１によれば、本体ケースの前面で、且つ、化粧パネル２に覆われる位置に、端子３０、３０を収納するための端子用凹部１１、１１と、ケーブルを挿通可能な第１ケーブル挿通孔１３とが設けられている一方、本体ケースの背面に、ケーブルを挿通可能な第２ケーブル挿通孔１４が設けられている。そして、第２ケーブル挿通孔１４側から第１ケーブル挿通孔１３を介してケーブルを本体ケースの前面側に引き出した状態で、本体ケースは設置面側となる基台に取り付けられるようになっている。したがって、作業者は、本体ケースを基台に取り付けた状態で、ケーブルと端子３０、３０との接続作業を行うことができ、端子３０、３０へのケーブル等の接続を簡易に行うことができる。
【００１８】
また、端子用凹部１１、１１の右隣で、且つ、化粧パネル２に覆われる位置に、ケーブルの余長を収納するためのケーブル収納凹部１２が設けられているとともに、第１ケーブル挿通孔１３が、ケーブル収納凹部１２内に設けられているため、ケーブルの配線等を容易に行うことができる。
【００１９】
さらに、本体ケースの内部に、第１ケーブル挿通孔１３と第２ケーブル挿通孔１４とを連通させる筒状の挿通筒部１５が設けられており、当該挿通筒部１５により、ケーブルの配線に係る空間と本体ケースの内部空間とが仕切られているため、第１ケーブル挿通孔１３や第２ケーブル挿通孔１４が設けられているにも拘わらず、高い防水性を発揮することができる。
【００２０】
なお、本発明に係るインターホン機器は、上記実施形態の態様に何ら限定されるものではなく、インターホン機器の全体的な構成は勿論、ケーブルの配線に係る構成についても、本発明の趣旨を逸脱しない範囲で、必要に応じて適宜変更することができる。
【００２１】
たとえば上記実施形態では、挿通筒部により、ケーブルの配線に係る空間と本体ケースの内部空間とを仕切るように構成しているが、挿通筒部ではなく、本体ケースの内部に別途仕切り壁を設けるように構成することも可能であるし、そのような仕切りに係る構成要素を設けないとしてもよい。
また、ケーブル収納凹部の有無についても適宜設計変更可能である。
さらに、上記実施形態では、本体ケースの下部に端子用凹部等を設けているが、本体ケースの前面で、且つ、化粧パネルにより覆われる位置であれば、他の位置（たとえば呼出ボタンの左若しくは右側等）であっても何ら問題はない。
さらに、上記実施形態では、インターホン子機について説明しているが、たとえば居室内に設置されるインターホン親機等の他のインターホン機器であっても何ら問題はない。
【符号の説明】
【００２２】
１・・インターホン子機（インターホン機器）、２・・化粧パネル、３・・前ケース（本体ケース）、４・・後ケース（本体ケース）、１１・・端子用凹部、１２・・ケーブル収納凹部、１３・・第１ケーブル挿通孔、１４・・第２ケーブル挿通孔、１５・・挿通筒部。
【図１】
2018170598.tif 000003
【図２】
2018170598.tif 000004
【図３】
2018170598.tif 000005
【図４】
2018170598.tif 000006